【手続補正書】
【提出日】平成18年3月14日(2006.3.14)
【手続補正１】
【補正対象書類名】特許請求の範囲
【補正対象項目名】全文
【補正方法】変更
【補正の内容】
【特許請求の範囲】
【請求項１】
インタレースビデオ信号が２：２プルダウンの使用によって生成されたものであるかどうかを決定する方法において、インタレースビデオ信号が２つ以上の特性を含むかどうかを決定するステップを含む方法。
【請求項２】
２つ以上の特性の各々は、インタレースビデオ信号が２：２プルダウンの使用によって生成されたものであるかどうかを示す請求項１記載の方法。
【請求項３】
インタレースビデオ信号が２つ以上の特性を含むかどうかを決定するステップは、インタレースビデオ信号が第１の特性を含むかどうかを決定するステップを含む請求項１記載の方法。
【請求項４】
インタレースビデオ信号が第１の特性を含むかどうかを決定するステップは、
インタレースビデオ信号の連続するフィールドを比較して比較値を生成するステップと、
小さな比較値１個の次に大きな比較値１個が続く反復パターンがあるかどうかを決定するステップと、
を含む請求項３記載の方法。
【請求項５】
インタレースビデオ信号が２つ以上の特性を含むかどうかを決定するステップは、インタレースビデオ信号が第２の特性を含むかどうかを決定するステップを含む請求項１記載の方法。
【請求項６】
インタレースビデオ信号が第２の特性を含むかどうかを決定するステップは、
インタレースビデオ信号の連続するフィールドを比較して比較値を生成するステップと、
連続する比較値を比較して差分値を生成するステップと、
小さな差分値１個の次に大きな差分値１個が続く反復パターンがあるかどうかを決定するステップと、
を含む請求項５記載の方法。
【請求項７】
インタレースビデオ信号が第２の特性を含むかどうかを決定するステップは、
インタレースビデオ信号の連続するフィールドを比較して比較値を生成するステップと、
連続する比較値を比較して差分値を生成するステップと、
一つおきの差分値が小さな差分値であるかどうかを決定するステップと、
を含む請求項５記載の方法。
【請求項８】
第１の特性を検出したかどうかを示す信号を生成するステップをさらに含む請求項１記載の方法。
【請求項９】
第１の特性を検出した場合、２：２シーケンスを示す信号を生成するステップをさらに含む請求項８記載の方法。
【請求項１０】
第２の特性を検出したかどうかを示す信号を生成するステップをさらに含む請求項１記載の方法。
【請求項１１】
第２の特性を検出した場合、２：２シーケンスを示す信号を生成するステップをさらに含む請求項１０記載の方法。
【請求項１２】
インタレースビデオ信号が第１の特性および第２の特性を含む場合、併合技法を使用して、インタレースビデオ信号からプログレッシブビデオ信号を生成するステップをさらに含む請求項１記載の方法。
【請求項１３】
インタレースビデオ信号が第１の特性を含む場合、２：２シーケンスを示す第１の信号を生成するステップと、
インタレースビデオ信号が第２の特性を含む場合、２：２シーケンスを示す第２の信号を生成するステップと、
インタレースビデオ信号が第１の特性および第２の特性を含み、第１の信号および第２の信号が同じ２：２シーケンスを示す場合、併合技法を使用して、インタレースビデオ信号からプログレッシブビデオ信号を生成するステップと、
をさらに含む請求項１記載の方法。
【請求項１４】
インタレースビデオ信号が第１の特性を含まない場合、またはインタレースビデオ信号が第２の特性を含まない場合、動き適応技法、動き補償技法、または補間技法を使用して、インタレースビデオ信号からプログレッシブビデオ信号を生成するステップをさらに含む請求項１記載の方法。
【請求項１５】
インタレースビデオ信号が第１の特性を含む場合、２：２シーケンスを示す第１の信号を生成するステップと、
インタレースビデオ信号が第２の特性を含む場合、２：２シーケンスを示す第２の信号を生成するステップと、
インタレースビデオ信号が第１の特性を含まない場合、またはインタレースビデオ信号が第２の特性を含まない場合、あるいは第１の信号および第２の信号が同じ２：２シーケンスを示さない場合、動き適応技法、動き補償技法、または補間技法を使用して、インタレースビデオ信号からプログレッシブビデオ信号を生成するステップと、
をさらに含む請求項１記載の方法。
【請求項１６】
インタレースビデオ信号が２：２プルダウンの使用によって生成されたものであるかどうかを決定するシステムにおいて、回路は、
インタレースビデオ信号を受け取るために結合されたフィールド動き検出回路と、
インタレースビデオ信号を受け取るために結合されたフレーム動き検出回路と、
を含むシステム。
【請求項１７】
前記フィールド動き検出回路は、インタレースビデオ信号中の２：２プルダウンフィールドパターンを検出するために動作可能であり、またインタレースビデオ信号中の２：２プルダウンフィールドパターンを検出したかどうかを示す信号を生成するために動作可能である請求項１６記載のシステム。
【請求項１８】
前記フィールド動き検出回路は、インタレースビデオ信号中の２：２プルダウンフィールドパターンを検出するために動作可能であり、インタレースビデオ信号中の２：２プルダウンフィールドパターンを検出したかどうかを示す信号を生成するために動作可能であり、また２：２プルダウンフィールドパターンを検出した場合２：２シーケンスを示す信号を生成するために動作可能である請求項１６記載のシステム。
【請求項１９】
前記フレーム動き検出回路は、インタレースビデオ信号中の２：２プルダウンフレームパターンを検出するために動作可能であり、またインタレースビデオ信号中の２：２プルダウンフレームパターンを検出したかどうかを示す信号を生成するために動作可能である請求項１６記載のシステム。
【請求項２０】
前記フレーム動き検出回路は、インタレースビデオ信号中の２：２プルダウンフレームパターンを検出するために動作可能であり、インタレースビデオ信号中の２：２プルダウンフレームパターンを検出したかどうかを示す信号を生成するために動作可能であり、また２：２プルダウンフレームパターンを検出した場合２：２シーケンスを示す信号を生成するために動作可能である請求項１６記載のシステム。
【請求項２１】
前記フィールド動き検出回路から第１の信号セット、前記フレーム動き検出回路から第２の信号セットを受け取るために結合された制御回路をさらに含む請求項１６記載のシステム。
【請求項２２】
前記フィールド動き検出回路から第１の信号セット、前記フレーム動き検出回路から第２の信号セットを受け取るために結合された制御回路をさらに含み、前記制御回路は、インタレースビデオ信号が２：２プルダウンの使用によって生成されたものであることを第１の信号セットおよび第２の信号セットが示す場合、インタレースビデオ信号が２：２プルダウンの使用によって生成されたものであることを示す第３の信号を生成する請求項１６記載のシステム。
【請求項２３】
前記フィールド動き検出回路から第１の信号セット、前記フレーム動き検出回路から第２の信号セットを受け取るために結合された制御回路をさらに含み、前記制御回路は、インタレースビデオ信号が２：２プルダウンの使用によって生成されたものであることを第１の信号セットが示さない場合、またはインタレースビデオ信号が２：２プルダウンの使用によって生成されたものであることを第２の信号セットが示さない場合、インタレースビデオ信号が２：２プルダウンの使用によって生成されたものではないことを示す第３の信号を生成する請求項１６記載のシステム。
【請求項２４】
前記フィールド動き検出回路から第１の信号セット、前記フレーム動き検出回路から第２の信号セットを受け取るために結合された制御回路と、
前記制御回路から第３の信号を受け取るために結合されたインタレース除去回路と、
をさらに含む請求項１６記載のシステム。
【請求項２５】
前記フィールド動き検出回路から第１の信号セット、前記フレーム動き検出回路から第２の信号セットを受け取るために結合された制御回路と、
前記制御回路から第３の信号を受け取るために結合されたインタレース除去回路であって、前記インタレース除去回路は、インタレースビデオ信号が２：２プルダウンの使用によって生成されたものであることを第３の信号が示す場合、インタレースビデオ信号からプログレッシブビデオ信号を生成するために、併合技法を使用するインタレース除去回路と、
をさらに含む請求項１６記載のシステム。
【請求項２６】
前記フィールド動き検出回路から第１の信号セット、前記フレーム動き検出回路から第２の信号セットを受け取るために結合された制御回路と、
前記制御回路から第３の信号を受け取るために結合されたインタレース除去回路であって、前記インタレース除去回路は、インタレースビデオ信号が２：２プルダウンの使用によって生成されたものであることを第３の信号が示さない場合、インタレースビデオ信号からプログレッシブビデオ信号を生成するために、動き適応技法、動き補償技法、または補間技法を使用するインタレース除去回路と、
をさらに含む請求項１６記載のシステム。
【請求項２７】
前記フィールド動き検出回路から第１の信号、前記フレーム動き検出回路から第２の信号を受け取るために結合されたインタレース除去回路をさらに含む請求項１６記載のシステム。
【請求項２８】
前記フィールド動き検出回路から第１の信号、前記フレーム動き検出回路から第２の信号を受け取るために結合されたインタレース除去回路をさらに含み、前記インタレース除去回路は、インタレースビデオ信号が２：２プルダウンの使用によって生成されたものであることを第１の信号および第２の信号が示す場合、インタレースビデオ信号からプログレッシブビデオ信号を生成するために、併合技法を使用する請求項１６記載のシステム。
【請求項２９】
前記フィールド動き検出回路から第１の信号、前記フレーム動き検出回路から第２の信号を受け取るために結合されたインタレース除去回路をさらに含み、前記インタレース除去回路は、インタレースビデオ信号が２：２プルダウンの使用によって生成されたものではないことを第１の信号が示す場合、またはインタレースビデオ信号が２：２プルダウンの使用によって生成されたものではないことを第２の信号が示す場合、インタレースビデオ信号からプログレッシブビデオ信号を生成するために、動き適応技法、動き補償技法、または補間技法を使用する請求項１６記載のシステム。
【請求項３０】
インタレースビデオ信号が３：２プルダウンの使用によって生成されたものであるかどうかを決定する方法において、インタレースビデオ信号は２つ以上の特性を含むかどうかを決定するステップを含む方法。
【請求項３１】
２つ以上の特性の各々は、インタレースビデオ信号が３：２プルダウンの使用によって生成されたものであるかどうかを示す請求項３０記載の方法。
【請求項３２】
インタレースビデオ信号が２つ以上の特性を含むかどうかを決定するステップは、インタレースビデオ信号が第１の特性を含むかどうかを決定するステップを含む請求項３０記載の方法。
【請求項３３】
インタレースビデオ信号が２つ以上の特性を含むかどうかを決定するステップは、インタレースビデオ信号が第２の特性を含むかどうかを決定するステップを含む請求項３０記載の方法。
【請求項３４】
第１の特性を検出したかどうかを示す信号を生成するステップをさらに含む請求項３０記載の方法。
【請求項３５】
第１の特性を検出した場合、３：２シーケンスを示す信号を生成するステップをさらに含む請求項３４記載の方法。
【請求項３６】
第２の特性を検出したかどうかを示す信号を生成するステップをさらに含む請求項３０記載の方法。
【請求項３７】
第２の特性を検出した場合、３：２シーケンスを示す信号を生成するステップをさらに含む請求項３６記載の方法。
【請求項３８】
インタレースビデオ信号が第１の特性および第２の特性を含む場合、併合技法を使用して、インタレースビデオ信号からプログレッシブビデオ信号を生成するステップをさらに含む請求項３０記載の方法。
【請求項３９】
インタレースビデオ信号が第１の特性を含まない場合、またはインタレースビデオ信号が第２の特性を含まない場合、動き適応技法、動き補償技法、または補間技法を使用してインタレースビデオ信号からプログレッシブビデオ信号を生成するステップをさらに含む請求項３０記載の方法。
【請求項４０】
インタレースビデオ信号が３：２プルダウンの使用によって生成されたものであるかどうかを決定するシステムにおいて、回路は、３：２プルダウンフレーム動き検出回路を含み、前記３：２プルダウンフレーム動き検出回路は、インタレースビデオ信号の同じパリティを有する連続するフィールドを使用して比較値を生成するために動作可能であり、小さな比較値１個の次に二対の類似の大きな比較値が続くシーケンスを検出するために動作可能であるシステム。
【請求項４１】
前記３：２プルダウンフレーム動き検出回路は、小さな比較値１個の次に二対の類似の大きな比較値が続く反復シーケンスを検出する場合、インタレースビデオ信号が３：２プルダウンの使用によって生成されたものであることを示す信号を生成するために動作可能である回路をさらに含む請求項４０記載のシステム。
【請求項４２】
前記３：２プルダウンフレーム動き検出回路は、小さな比較値１個の次に二対の類似の大きな比較値が続く反復シーケンスを検出しない場合、インタレースビデオ信号が３：２プルダウンの使用によって生成されたものではないことを示す信号を生成するために動作可能である回路をさらに含む請求項４０記載のシステム。
【請求項４３】
小さな比較値１個の次に二対の類似の大きな比較値が続く反復シーケンスを検出する場合、併合技法を使用して、インタレースビデオ信号からプログレッシブビデオ信号を生成するインタレース除去回路をさらに含む請求項４０記載のシステム。
【請求項４４】
小さな比較値１個の次に二対の類似の大きな比較値が続く反復シーケンスを検出しない場合、動き適応技法、動き補償技法、または補間技法を使用して、インタレースビデオ信号からプログレッシブビデオ信号を生成するインタレース除去回路をさらに含む請求項４０記載のシステム。